(57)【要約】【課題】扉等の施錠と解錠とを確実に識別することのできるインジケータ機能を備えたインジケータ付きロック機構の提供。【解決手段】操作レバー２０は、ピン４２が挿通されるピン孔５３を有し、外周面の一部が表示窓１８と対向する基端部５６と、基端部５６から延出する操作部５７とを有し、操作部５７がばね部材６４によってピン４２よりも上側に位置するように付勢されており、基端部５６の外周面にはその周方向に並ぶ第１及び第２インジケータ１７Ａ，１７Ｂが位置する。操作部５７がピン４２よりも上側に位置する状態において表示窓１８には第１インジケータ１７Ａが露出しており、キー１９を回転操作することによってラッチ板１６を施解錠表示装置１４に向かって旋回させ、ラッチ板１６の先端部１６ａを操作レバー２０の操作部５７に上方から当接させることによって、操作部５７がばね付勢に抗して押し下げられてピン４２よりも下側に移動し、基端部５６が回転して表示窓１８には第２インジケータ１７Ｂが露出される。【選択図】図２
2014001573.tif 000002
【特許請求の範囲】
【請求項１】
縦方向及び前後方向を有し、扉に取り付けられる錠前装置と、扉枠に取り付けられる施解錠表示装置とを含むインジケータ付きロック機構において、
前記錠前装置は、前記扉枠に固定される錠前本体と、前記錠前本体内に位置し、前記錠前本体の前面に位置する鍵穴にキーを挿入して回転操作することによってそれと連動して回転する回転体と、前記回転体に取り付けされたラッチ板とを含み、
前記施解錠表示装置は、前記扉枠に固定されるケーシングと、前記ケーシングの前面に位置する表示窓と、前記ケーシング内に位置し、かつ、ピンを介して旋回可能に取り付けられた操作レバーとを含み、
前記操作レバーは、前記ピンが挿通されるピン孔を有し、外周面の一部が前記表示窓と対向する基端部と、前記基端部から延出する操作部とを有し、前記操作部がばね部材によって前記ピンよりも上側に位置するように付勢されており、前記基端部の外周面にはその周方向に並ぶ第１及び第２インジケータが位置しており、
前記操作部が前記ピンよりも上側に位置する状態において前記表示窓には前記第１インジケータが露出しており、
前記キーを回転操作することによって前記ラッチ板を前記施解錠表示装置に向かって旋回させ、前記ラッチ板の先端部を前記操作レバーの操作部に上方から当接させることによって、前記操作部がばね付勢に抗して押し下げられて前記ピンよりも下側に移動し、前記基端部が回転して前記表示窓には前記第２インジケータが露出されることを特徴とする前記インジケータ付きロック機構。
【請求項２】
前記扉枠に取り付けられた、前記ラッチ板が旋回して通過可能な開口を有する案内板をさらに含む請求項１に記載のインジケータ付きロック機構。
【請求項３】
前記ケーシングは前記操作レバーの前記基端部が収納される収容部を有し、前記収容部には前記縦方向において互いに離間対向する、前記操作レバーの操作部が進退出可能な第１及び第２切欠が設けられる請求項１又は２に記載のインジケータ付きロック機構。
【請求項４】
前記回転体の回転を一定角度範囲内に規制する回転規制手段をさらに含む請求項１〜３のいずれかに記載のインジケータ付きロック機構。
【発明の詳細な説明】
【技術分野】
【０００１】
本発明は、ドアや扉等に使用されるインジケータ付きロック機構に関する。
【背景技術】
【０００２】
特許文献１に開示されたインジケータ付きロック機構は、錠前本体とラッチ板とを有し、錠前本体の前面側がキー操作によって施錠位置と解錠位置の間で回転するものであって、該前面側には、施錠状態または解錠状態を示すインジケータが設けられている。
【先行技術文献】
【特許文献】
【０００３】
【特許文献１】特開２０１０−１４４４１７号公報
【発明の概要】
【発明が解決しようとする課題】
【０００４】
特許文献１に開示のインジケータ付きロック機構によれば、錠前本体の前面側に位置する表示窓からインジケータが露出しており、操作者は、インジケータを視認することによって容易にロック機構の施錠状態と解錠状態とを判断することができる。
【０００５】
しかし、かかるインジケータ付きロック機構においては、ラッチ板が扉と扉枠との間に位置している状態において施錠操作が行われた場合であっても、キー操作とともにインジケータは施錠状態を示し、操作者は実際に扉が施錠されていると誤認するおそれがある。
【０００６】
本発明は、従来のインジケータ付きロック機構の改良であって、扉等の施錠と解錠とを確実に識別することのできるインジケータ機能を備えたインジケータ付きロック機構に関する。
【課題を解決するための手段】
【０００７】
前記課題を解決するために、本発明は、縦方向及び前後方向を有し、扉に取り付けられる錠前装置と、扉枠に取り付けられる施解錠表示装置とを含むインジケータ付きロック機構を対象とする。
【０００８】
本発明に係るロック機構は、前記錠前装置が、前記扉枠に固定される錠前本体と、前記錠前本体内に位置し、前記錠前本体の前面に位置する鍵穴にキーを挿入して回転操作することによってそれと連動して回転する回転体と、前記回転体に軸支されたラッチ板とを含み、前記施解錠表示装置は、前記扉枠に固定されるケーシングと、前記ケーシングの前面に位置する表示窓と、前記ケーシング内に位置し、かつ、ピンを介して旋回可能に取り付けられた操作レバーとを含み、前記操作レバーは、前記ピンが挿通されるピン孔を有し、外周面の一部が前記表示窓と対向する基端部と、前記基端部から延出する操作部とを有し、前記操作部がばね部材によって前記ピンよりも上側に位置するように付勢されており、前記基端部の外周面にはその周方向に並ぶ第１及び第２インジケータが位置しており、前記操作部が前記ピンよりも上側に位置する状態において前記表示窓には前記第１インジケータが露出しており、前記キーを回転操作することによって前記ラッチ板を前記施解錠表示装置に向かって旋回させ、前記ラッチ板の先端部を前記操作レバーの操作部に上方から当接させることによって、前記操作部がばね付勢に抗して押し下げられて前記ピンよりも下側に移動し、前記基端部が回転して前記表示窓には前記第２インジケータが露出されることを特徴とする。
【０００９】
本発明の実施態様の一つは、前記扉枠に取り付けられた、前記ラッチ板が旋回して通過可能な開口を有する案内板をさらに含む。
【００１０】
本発明の他の実施態様の一つは、前記ケーシングは前記操作レバーの前記基端部が収納される収容部を有し、前記収容部には前記縦方向において互いに離間対向する、前記操作レバーの操作部が進退出可能な第１及び第２切欠が設けられる。
【００１１】
本発明のさらに他の実施態様の一つは、前記回転体の回転を一定角度範囲内に規制する回転規制手段をさらに含む。
【発明の効果】
【００１２】
本発明に係るインジケータ付きロック機構によれば、施解錠表示装置の操作レバーがばね部材によってその操作部が常時ピンよりも上方に位置するように付勢されているので、前面に位置する表示窓には扉が解錠状態であることを意味する第１インジケータが露出する。一方、錠前装置の鍵穴にキーを挿入して回転操作することによって回転体が連動して回転してそれに軸支されたラッチ板が旋回し、その先端部が操作レバーに上方から当たってそれを下方に押し下げる。それによって、基端部が回転して表示窓には扉が施錠状態であることを意味する第２インジケータが露出する。このように、施錠装置によって扉が完全に施錠された場合にのみ施錠状態であることを意味する第２インジケータが露出され、その構成上、扉が解錠されている状態において第２インジケータが誤って露出されることはないので、操作者はより確実に扉の施錠、解錠を確認することができる。
【図面の簡単な説明】
【００１３】
【図１】本発明に係るインジケータ付きロック機構を扉の正面から見た斜視図。
【図２】解錠状態における、インジケータ付きロック機構を扉の背面から見た斜視図。
【図３】施錠状態における、インジケータ付きロック機構を扉の背面から見た斜視図。
【図４】インジケータ付きロック機構の分解斜視図。
【図５】ばね部材が取り付けられた操作レバーの斜視図。
【図６】図２に示すＶＩ−ＶＩ線に沿う断面図。
【図７】図３に示すＶＩＩ−ＶＩＩ線に沿う断面図。
【図８】（ａ）施錠状態における施解錠表示装置の前面を前方からみた平面図、（ｂ）解錠状態における施解錠表示装置の前面を前方から見た平面図。
【発明を実施するための形態】
【００１４】
図１〜３を参照すると、インジケータ付きロック機構１０は、縦方向Ｙ及び前後方向Ｘと、扉１１側に取り付けられる錠前装置１２と、扉枠１３に取り付けられる施解錠表示装置１４とを含む。錠前装置１２は、扉１１の正面側に位置する前面Ｆ１と、扉１１の背面側に位置する後面Ｂ１とを有し、前面Ｆ１側に一部が露出する錠前本体１５と、後面Ｂ１側に位置し、錠前本体１５に取り付けられたラッチ板１６とを含む。ラッチ板１６は、錠前本体１５の鍵穴１５ａに挿入されたキー１９を一方向へ回転操作することによってＲ１方向へ旋回し、キー１９を逆方向に回転操作することによってＲ２方向へ旋回する。施解錠表示装置１４は、扉枠１３の正面に位置する前面Ｆ２と、扉枠１３の背面に位置する後面Ｂ２とを有し、錠前装置１２の施錠と解錠とを扉の正面側から視認させるための後記の第１及び第２インジケータ１７Ａ，１７Ｂを有する操作レバー２０と、前面Ｆ２側に位置し、第１及び第２インジケータ１７Ａ，１７Ｂを露出させるための表示窓１８とを含む。図３を参照すると、操作レバー２０は、その円棒状の操作部５７が斜め上方を向くようにばね付勢されている。
【００１５】
図２を参照すると、扉枠１３の外側部１３ａは屈曲形状を有し、前後方向Ｘにおいて扉１１の屈曲部位１１ａと互いに重なり合っており、扉と対向する部位には、オプションとして、中央に縦方向Ｙに延びる開口２１を有する断面略Ｌ字形の案内板２２が取り付けられる。錠前装置１２の施錠状態において、ラッチ板１６は案内板２２の開口２１を挿通され、その先端部１６ａが施解錠表示装置１４の操作レバー２０に当接し、操作レバー２０の操作部５７はばね付勢に抗して下方に押し下げられている。
【００１６】
図４を参照すると、錠前装置１２はキーの挿入される方向を軸方向とするものであって、錠前本体１５は、市販されている通常の錠前本体（シリンダー錠）と同様の構成を有するものであって、扉１１の取付孔２４に当接するフランジ２５と、フランジ２５の外周縁から前方に延びる前方円筒部２６と、フランジ２５の中央から後方に延びる後方円筒部２７とを有するハウジング２８を含む。前方円筒部２６の中央には鍵穴が位置し、後方円筒部２７はその外周面に位置する螺旋状の溝２７ａと、後端に沿う曲状を有して後方へ突出するストッパー３０とを有する。ハウジング２８には、その空間内部において回転体３１が摺動回転可能に配置されており、回転体３１の外周面に螺旋溝３１ａを有する軸部３２が後方へ延びている。錠前本体１５は、後方円筒部２７を扉の取付孔２４に挿入し、パッキン（図示せず）を介してそれにナット３３を螺合することによって扉１１に取り付けられる。
【００１７】
錠前本体１５の回転体３１の軸部３２には、軸部３２とともに回転可能な係止板３５とラッチ板１６とが取り付けられる。係止板３５は、中央に位置する角孔３６と、外側へ突出する一対の係止片３５ａ，３５ｂとを有する。ラッチ板１６は、その基端側において係止板３５の角孔３６とほぼ同形の角孔３７を有し、軸部３２はその平坦な当接面が係止板３５とラッチ板１６の角孔３７との内面に当接した状態でそれらを貫通する。ワッシャ３８を介してナット３９をラッチ板１６の後方から軸部３２に螺着させることによって、係止板３５とラッチ板１６とが軸部３２に固定される。係止板３５は、係止片３５ａ，３５ｂの一方がそれらに対向して位置し、後方円筒部２７の後端に位置するストッパー３０の両端のいずれかに当接することによって、その回転が規制される。係止板３５の回転は、その回転角度が約９０度となるように調整されており、係止板３５の回転角度が回転体３１の軸部３２と連動して回転するラッチ板１６の回転角度となるので、ラッチ板１６は、縦方向Ｙへ直立した状態からＲ１方向へ旋回して操作レバー２０の操作部５７と当接してそれを押し下げた状態になるまでの間をＲ１，Ｒ２方向へ自在に旋回することができる。
【００１８】
施解錠表示装置１４は、扉枠１３に設けられた取付孔４０と同形の外形状を有するケーシング４１と、ピン４２と、ピン４２を介してケーシング４１に旋回可能に固定される操作レバー２０とを有する。ケーシング４１は、基部４３と、縦方向Ｙにおいて互いに離間対向する第１及び第２端部４４，４５と、基部４３から外方に突出する周壁を有する収容部４６と、収容部４６を挟んで縦方向Ｙにおいて互いに離間対向して位置し、かつ、基部４３から外方に突出する中央にねじ孔を有する固定部４９とを含む。収容部４６は、縦方向Ｙにおいて互いに離間対向する第１及び第２切欠５１，５２と、ピン４２の軸方向において互いに離間対向するピン孔５３とを有する。収容部４６の位置する基部４３には、表示窓１８が設けられている。
【００１９】
図４及び５を参照すると、操作レバー２０は、収容部４６に収納される断面略扇形の基端部５６と、基端部５６から延出する操作部５７と、基端部５６の両側から外側へ突出する係止部５８と、基端部５６と係止部５８とを連通するピン４２が貫通される貫通孔５９とを有する。操作レバー２０は、収容部４６のピン孔５３と基端部５６の貫通孔５９とを貫通するピン４２によって旋回可能に軸支される。基端部５６の外周面には、その周方向において並ぶ錠前装置１２が解錠状態であることを示す第１インジケータ１７Ａと施錠状態であることを示す第２インジケータ１７Ｂとが配置される。第１及び第２インジケータ１７Ａ，１７Ｂは、それぞれ、基端部５６の外周面のほぼ半分の大きさを有するものであって、それらの境界には境界ライン６１が位置する。第１及び第２インジケータ１７Ａ，１７Ｂは、表示窓１８に露出されたときに、それらの相違が容易に視認できるようにするための識別要素を備えるものであって、識別要素として、第１インジケータ１７Ａは複数のドット状、第２インジケータ１７Ｂは複数のライン状の模様が付されている。識別要素は、印刷やシールを貼付して施された、赤や緑等の互いに異なる色彩、図形、模様、文字等の他の識別要素またはそれらの組み合わせ等であってもよい。また、操作レバー２０の基端部５６の外周面と表示窓１８との間には、オプションとして透明又は半透明の透明部材６２が配置される。透明部材６２が配置されることによって、表示窓１８から第１及び第２インジケータ１７Ａ，１７Ｂが透明部材６２を介して外部に視認されるとともに、表示窓１８から収容部４６内に塵埃や小さなゴミが入り込むのを防止することができる。
【００２０】
操作レバー２０には、ばね部６３を対に有したばね部材（ダブルトーションばね）６４が取り付けられており、ばね部６３が操作レバー２０の基端部５６の両係止部５８に係止され、ばね部６３どうしをつなぐ角枠状の延出部６５の中間部位６５ａが操作レバー２０の操作部５７に掛け止めされる。ばね部材６４は、ばね部６３からケーシング４１の基部４３に向かって延びるアーム６６をさらに有し、アーム６６が基部４３に当接している。ばね部材６４は操作レバー２０の操作部５７を常時ケーシング４１の第１端部４４側（上方側）に付勢し、操作部５７は第１切欠５１内に位置する。
【００２１】
図４を参照すると、ケーシング４１は弾性部材又はプラスチック製の取付板７０を介して扉枠１３の取付孔４０に挿入された後、カバーパネル７１が被着される。カバーパネル７１は、縦方向Ｙにおいて離間対向する一対のねじ孔７２と、ケーシング４１の収容部４６が挿通される挿通部７３とを有する。ねじ７４を後方からカバーパネル７１のねじ孔７２に挿通させてケーシング４１の固定部４９に螺着させることによって、施解錠表示装置１４が扉枠１３に安定的に取り付けられる。
【００２２】
図６及び７を参照すると、施解錠表示装置１４の操作レバー２０の操作部５７は、ばね部材６４によってピン４２の上方側に位置するように付勢されており、図８（ａ）に示すとおり、施解錠表示装置１４の前面Ｆ２の表示窓１８には第１インジケータ１７Ａが透明部材６２を介して露出している。錠前装置１２の錠前本体１５の鍵穴にキー１９が挿入されて回転操作されることによって、ラッチ板１６が施解錠表示装置１４側に向かって（図２の矢印Ｒ１方向）旋回し、その先端部１６ａが操作レバー２０の操作部５７に上方から当接する。ラッチ板１６は、軸部３２のトルク力及びその自重によって勢いを付けて操作部５７に当接し、操作部５７をばね部材６４の付勢に抗して第１切欠５１から離脱させて第２端部４５側へ、すなわち、下方へ向かって押し下げて操作部５７はＰ１方向へ旋回する。軸部３２とともに回転する係止板３５の係止片３５ｂがそれに対向する後方円筒部２７のストッパー３０の端部に当接することによって、軸部３２の回転が規制されて、ラッチ板１６は解錠状態（縦方向Ｙに直立した状態）から９０度回転して倒伏した状態で停止する。かかるラッチ板１６が倒伏した状態において、操作レバー２０の操作部５７は第２切欠５２に位置しており、操作部５７が押し下げられるとともに基端部５６がＱ２方向へ回転し、ケーシング４１の前面Ｆ２の表示窓１８には、図８（ｂ）に示すとおり、第２インジケータ１７Ｂが露出する。
【００２３】
次に、錠前装置１２を解錠するときには、鍵穴に挿入されたキー１９を施錠時とは逆の方向に回転操作することによって、ラッチ板１６が操作レバー２０の操作部５７から離間する方向（図２の矢印Ｒ２方向）へ旋回し、ラッチ板１６が操作部５７から離間すると同時に操作部５７はばね部材６４の弾性力によってケーシング４１の第１端部４４側へ、すなわち、上方（矢印Ｐ２方向）へ旋回して第１切欠５１内に移動し、施錠前の状態に復帰する。それと同時に、基端部５６もＱ１方向に回転して表示窓１８には、第１インジケータ１７Ａが露出する。
【００２４】
このように、施錠時及び解錠時におけるラッチ板１６の動きを利用して操作レバー２０を回転せることによって、解錠状態には表示窓１８から第１インジケータ１７Ａが露出し、一方、施錠状態においては表示窓１８から第２インジケータ１７Ｂが露出するようにしたので、操作者は扉枠１２の正面に位置する表示窓１８を確認することによってロック機構１０の施錠及び解錠を瞬時に判断することができる。また、従来のインジケータ機能を備えるロック機構の場合には、扉が扉枠の正面側に位置した状態でラッチ板１６が倒伏していて扉が施錠されていない状態であっても、キーの回転操作によって解錠状態であることを示すインジケータが表示窓に表示されるおそれがあるが、本発明に係るロック機構１０によれば、かかる解錠状態においては、ラッチ板１６が操作レバー２０を押し下げることがないので、第２インジケータ１７Ｂが表示窓に表示されることはなく、操作者が扉が施錠されていると勘違いすることはない。
【００２５】
操作レバー２０の操作部５７は円棒状ではなく、平坦状であってもよいが、断面略円形状であれば、施錠時にラッチ板１６を当接するときの当接面積が小さくなるので、より効率よくラッチ板１６の旋回力を操作部５７に伝達することができる。また、上記のとおり、案内板２２はオプションであるが、案内板２２を扉枠１３に設けることによって、扉ががたついてラッチ板１６が前後方向Ｘにずれるおそれがあるときでも、案内板２２の開口２１にラッチ板１６を挿通させることによって操作部５７の適当な位置に確実に当接させてそれを押し下げることができる。
【符号の説明】
【００２６】
１０  インジケータ付きロック機構
１１  扉
１２  錠前装置
１３  扉枠
１４  施解錠表示装置
１５  錠前本体
１６  ラッチ板
１６ａ  ラッチ板の先端部
１７Ａ  第１インジケータ
１７Ｂ  第２インジケータ
１８  表示窓
１９  キー
２０  操作レバー
２１  開口
２２  案内板
３０  ストッパー
３１  回転体
３５  係止板
３５ａ，３５ｂ  係止片
４１  ケーシング
４６  収容部
５１  第１切欠
５２  第２切欠
５６  基端部
５９  ピン孔
５７  操作部
６４  ばね部材
Ｘ  前後方向
Ｙ  縦方向
【図１】
2014001573.tif 000003
【図２】
2014001573.tif 000004
【図３】
2014001573.tif 000005
【図４】
2014001573.tif 000006
【図５】
2014001573.tif 000007
【図６】
2014001573.tif 000008
【図７】
2014001573.tif 000009
【図８】
2014001573.tif 000010